(57)【要約】  【課題】ノズル交換の容易な針無注射器を提供する。  【解決手段】ノズル１の挿入端と注射器本体４の挿入口が同一で、ノズル１の取付け時に操作端と挿入口が目視可能な形状にし、ノズル１を挿入後回転させることにより注射器本体４にノズル１がロックされるロック機構を設ける。このロック機構はノズル１に設けるラッチ溝１４と注射器本体４内に設ける回転自在のコマ６との作用で行い、ロック解除機構は注射器本体４に連設するストッパリング３とコマ６との作用により行う。【選択図】          図１
0003125242.tif 000002
【実用新案登録請求の範囲】
【請求項１】
ラッチ用の突起を周囲に備えたノズルと、前記ノズルの挿入口を有するノズル導入部とを備え、前記ノズル導入部の挿入口に前記ノズルを挿入して前記突起を介してノズルを固定する構成の針無注射器において、前記ノズル導入部の挿入口に、前記突起に対応する形状のガイド部を設けたことを特徴とする針無注射器。
【請求項２】
請求項１記載の針無注射器において、前記ノズルは前記突起部に溝部を有し、さらに、
前記溝部と契合する突起部位を有し、注射器本体に軸承される契合部材と、
前記ノズルを挿入回転した状態で前記溝部と前記突起部位が契合するよう前記契合部材を付勢する契合部材付勢手段と、
前記ノズルを注射器本体に挿入回転することにより前記ノズルが注射器本体に自動的にロックされる自動ロック手段と、
前記契合部材の付勢力に抗して前記契合部材を移動させる当接部材を有し、注射器本体に介設されるリング部材と、
ノズルロック時に前記契合部材と前記当接部材が離れるよう前記リング部材を付勢するリング部材付勢手段と、
前記リング部材をその付勢力に抗して手動で回転させ、前記契合部材に前記当接部材を当接して移動させることによりノズルのロックを解除するノズルロック解除手段を備えたことを特徴とする針無注射器。
【考案の詳細な説明】
【技術分野】
【０００１】
本考案は、ノズルの噴射孔から吸入した一定量の薬液、または、あらかじめノズル内に充填されている薬液をジェット噴射させて皮下注射を行う針無注射器に関する。
【背景技術】
【０００２】
針無注射器はその先端部の噴射孔から一定量吸入したノズル内の薬液、又は予めノズル内に充填されている薬液を、噴射孔からジェット噴射することにより、薬液を患者の皮下に注入する注射器である。すなわち、針無注射器による注射は皮下注射時に注射針を使用しないため、針刺し事故の防止、先端恐怖症の患者に使用が可能等の利点があり、例えば糖尿病患者自身が日常的にインシュリンを自己注射する場合にも用いられている。
【０００３】
このような針無注射器に用いられるノズルには、連続使用タイプのものと使い捨てタイプのものとがあるが、連続使用タイプのものは長期間使用するため、特に衛生管理が難しく、そのため最近では図５に示すような使い捨てタイプの針無注射器の使用が増加している。この針無注射器に用いられているノズル１０５は前グリップ１０１、後グリップ１０２、注射時にピストン１０７に連結するロッド１０８のラッチを解除して注射するラッチ解除ボタン１０３からなる注射器本体１０４の先端部に螺合するネジ部１０６を有し、注射器本体１０４へのノズル１０５の取り付け、取り外し作業は直接ノズル１０５を手で回して行っている。この針無注射器による注射は、ロッド１０８を後退させて薬液を吸入した後、高速でロッド１０８を前進させ薬液をノズル１０５の先端より噴射することにより行われる。
【０００４】
上記針無注射器の場合、ノズル１０５を注射器本体１０４に取り付けるために注射器本体１０４及びノズル１０５に連続ねじが形成されており、ノズル１０５を数回転以上回転させないと取り付けられず、そのため手間がかかるという問題がある。また、ノズル１０５の取り付けの最終位置が一定せず、薬液吸入の都度吸入量が変わるという問題がある。この問題を解消する針無注射器として図６の側面図（Ａ）と挿入端平面図（Ｂ）で示されるノズル２０２と図７の正面図（Ａ）とその側面図（Ｂ）で示される注射器本体２０１からなる針無注射器が公開されている（例えば特許文献１参照）。
【０００５】
前記ノズル２０２は薬液を噴射する噴射孔２０２ａと前記ピストン１０７が進退する中空部２０２ｂの基本形状を備えるとともに、外周部に溝２０３付きのフランジ部２０４、注射器本体２０１に螺合するための軸方向に欠損部を有するネジ部２０５と、取り付け間違い防止用のストッパー２０６が設けられている。また、前記注射器本体２０１は、その先端面に軸方向に進退可能な一対のプランジャー２０７が配設され、先端中央部には軸方向に欠損部を有するネジ部２０８が形成されている。
【０００６】
このノズル２０２を注射器本体２０１に取り付ける場合は、前記ネジ部２０５、２０８の欠損部が重ならないようにしてノズル２０２を図８に示すように注射器本体２０１の挿入口２０１ａに挿入し、プランジャー２０７がノズル２０２の溝２０３に飛び出すところまで回転させる。もしネジ部２０５の挿入深さが浅い状態で回転させた場合は、ノズル２０２の取り付け間違い防止用のストッパー２０６が、注射器本体２０１のネジ溝に当り回転が防止される。また、ノズル２０２を注射器本体２０１から外す場合は、図９に示すような押し具２０９をノズル２０２の溝２０３に沿って挿入し、プランジャー２０７の先端を平面部まで押し下げ、押し具２０９とノズル２０２を同時に回転させ注射器本体２０１から取り外すようにしている。
【特許文献１】特開２００１−６１９６４号公報
【考案の開示】
【考案が解決しようとする課題】
【０００７】
従来の針無注射器は上記のように構成されているが、図６、７に示したようにノズル２０２の挿入端２０２ｃと注射器本体２０１の挿入口２０１ａが円形同士であり、図８に示すようにノズル２０２を挿入する前に挿入口２０１ａの内部がノズル２０２によって隠れてしまうので、ノズル２０２の挿入時注射器本体２０１のネジ部２０８（図７）にノズル２０２のネジ部２０５が当りそれ以上挿入できない場合が生じる。この場合、手探りでノズル２０２を回転させてみて当りをなくし再度挿入する操作を必要とする。すなわち、注射器本体２０１の挿入口２０１ａとノズル２０２の形状をひと目見て嵌め合い位置が確認され、嵌め合い進行状態が目視にて容易に確認できるようになっていないこと、着脱の手順が複雑で判り難くいこと、あるいはノズルのロック解除に治具を使用することで複雑であるなどの問題がある。
本考案は、このような事情に鑑みてなされたものであって、針刺し注射器を扱う場合のような高い熟練度を必要とせずに注射が行える針無注射器を提供することを目的とするものである。
【課題を解決するための手段】
【０００８】
上記の目的を達成するため、本考案の針無注射器は、ラッチ用の突起を周囲に備えたノズルと、前記ノズルの挿入口を有するノズル導入部とを備え、前記ノズル導入部の挿入口に前記ノズルを挿入して前記突起を介してノズルを固定する構成の針無注射器において、前記ノズル導入部の挿入口に、前記突起に対応する形状のガイド部を設けたものである。
また、前記ノズルは前記突起部に溝部を有し、さらに、前記溝部と契合する突起部位を有し、注射器本体に軸承される契合部材と、前記ノズルを挿入回転した状態で前記溝部と前記突起部位が契合するよう前記契合部材を付勢する契合部材付勢手段と、前記ノズルを注射器本体に挿入回転することにより前記ノズルが注射器本体に自動的にロックされる自動ロック手段と、前記契合部材の付勢力に抗して前記契合部材を移動させる当接部材を有し、注射器本体に介設されるリング部材と、ノズルロック時に前記契合部材と前記当接部材が離れるよう前記リング部材を付勢するリング部材付勢手段と、前記リング部材をその付勢力に抗して手動で回転させ、前記契合部材に前記当接部材を当接して移動させることによりノズルのロックを解除するノズルロック解除手段を備えたものである。
【０００９】
本考案の針無注射器は上記の構成を備えることにより、ノズルの着脱操作のミスをなくし、着実にノズルの着脱を行うことができる。
【考案の効果】
【００１０】
本考案の針無注射器はノズルの着脱操作が簡便となり、高齢者などのように、神経を集中して細かい作業を行うことが不得手である人でも容易に使いこなせるので、患者や介護者がインシュリンの注射などに使用することができる。
【考案を実施するための最良の形態】
【００１１】
本考案が提供する針無注射器の第１の特徴はラッチ用の突起を周囲に備えたノズルと、前記ノズルの挿入口を有するノズル導入部とを備え、前記ノズル導入部の挿入口に前記ノズルを挿入して前記突起を介してノズルを固定する構成の針無注射器において、前記ノズル導入部の挿入口に、前記突起に対応する形状のガイド部を設けた点にあり、第２の特徴は前記ノズルは前記突起部に溝部を有し、さらに、前記溝部と契合する突起部位を有し、注射器本体に軸承される契合部材と、前記ノズルを挿入回転した状態で前記溝部と前記突起部位が契合するよう前記契合部材を付勢する契合部材付勢手段と、前記ノズルを注射器本体に挿入回転することにより前記ノズルが注射器本体に自動的にロックされる自動ロック手段と、前記契合部材の付勢力に抗して前記契合部材を移動させる当接部材を有し、注射器本体に介設されるリング部材と、ノズルロック時に前記契合部材と前記当接部材が離れるよう前記リング部材を付勢するリング部材付勢手段と、前記リング部材をその付勢力に抗して手動で回転させ、前記契合部材に前記当接部材を当接して移動させることによりノズルのロックを解除するノズルロック解除手段を備えた点にある。
したがって最良の形態の基本的な構成はこれら第１、２の構成を完全に具備する針無注射器である。
【実施例１】
【００１２】
本考案の実施例を図面を参照しながら詳細に説明する。図１は本考案の針無注射器の先端側部分の断面図（Ａ）とそのＡ−Ａ断面図（Ｂ）及びＢ−Ｂ断面図（Ｃ）、図２は一部を断面で示すノズルの側面図（Ａ）と挿入端平面図（Ｂ）である。
【００１３】
本発明の針無注射器は、図１に示す先端部の構成を除いては図５に示した従来の針無注射器と同様な構成部品を用いて構成されている。本針無注射器は使い捨て方式のノズル１と、このノズル１を挿入する口金２と、装着したノズル１の固定／解除を行うラッチ機構を内設するストッパリング３と、これらを連結して薬液吸入・薬液噴射を行う注射器本体４から構成されている。
【００１４】
前記ノズル１は図２に示すように薬液を噴射する噴射孔１１とそれに連通し薬液を貯留しておく中空孔１２と、外周部に挿入時の当り面となるフランジ１３と、後部上下にラッチ溝１４を形成した凸部１５が設けられている。また、図１（Ｂ）に示すように前記ストッパリング３の内側には、円周上に沿う矢じり形部位３１が向かい合う位置に一体的に形成され、前記口金２と注射器本体４で支持される２本の軸ピン５にそれぞれノズル１をラッチするためのコマ６が回転自在に滑合されている。このコマ６はフック部６１、凹部６２、ラッチ部位６３及び弾性変形部６４を有している。またストッパリング３は、一端をストッパリング３に掛け他端を口金２に固定したコイルばね７により時計方向の回転力が付勢されている。また、前記口金２は図１（Ｃ）に示すようにこれを注射器本体４に結合するためのネジ８を通す段付孔２１と、ノズル１を挿入する際、挿入位置が目視により容易に確認できるようノズル１の形状に合わせたガイド穴２２とを形成している。前記ノズル１が注射器本体４に装着されている状態では、ノズル１のラッチ溝１４とコマ６のラッチ部位６３が嵌合するとともに、注射器本体４のブロック４１とコマ６の弾性変形部６４から付勢される回転力によりノズル１は注射器本体４にラッチ（固定）された状態となっている。なお、前記口金２と注射器本体４の結合は、ネジ結合の代わりに接着によって行うこともできる。
【００１５】
上記構成の針無注射器にノズル１を装着する場合の操作手順とそれに伴うラッチ機構の動作をストッパリング３内部の状態変化を示す図３（Ａ）〜（Ｄ）を参照して説明する。図３（Ａ）はノズル１を装着する前のストッパリング３内の状態を示すものである。ストッパリング３には矢印（時計）方向の回転力が付勢されているので矢じり形部位３１とコマ６とは離れた位置にある。そしてコマ６にはストッパリング３に接触している弾性変形部６４を介して軸ピン５を中心とする時計方向の回転力が付加され、これによりコマ６の凹部６２は注射器本体４のブロック４１に押し付けられている。この状態で口金２のガイド穴２２の切欠部２２ａにノズル１の凸部１５を合わせてノズル１を口金２のガイド穴２２に挿入し、ノズル１の前記フランジ１３が前記口金２に当るまで押し込む（図３（Ｂ））。
【００１６】
次にノズル１を時計方向に回転させると図３（Ｃ）に示すようにコマ６は前記回転力に抗してそのラッチ部位６３が持ち上げられて反時計方向に回転し、ノズル１はブロック４１に当たる位置で止まる（図３（Ｄ））。このときラッチ部位６３はノズル１の回転に連動して元の位置に戻るとともにノズル１のラッチ溝１４とコマ６のラッチ部位６３が嵌合しノズル１は注射器本体４にラッチされ、これによりノズル１の動きが阻止されノズル１が注射器本体４のブロック４１に固定される。この状態で注射器本体４の使用準備が完了し、注射器本体４を操作してロッド９を後退させて薬液を注入し、ロッド９を高速で前進させて注射を行う。
【００１７】
次にノズル１を取り替える場合の操作手順とそれに伴うラッチ機構の動作を図４（Ａ）〜（Ｄ）を参照して説明する。図３（Ｄ）の状態図から注射器本体４に対しストッパリング３を矢印（反時計）方向に回転させる（図４（Ａ））。ストッパリング３の回転が停止するまで回転させるとストッパリング３の矢じり形部位３１の先端が前記フック部６１の下側に入り込み（図４（Ｂ））、ノズル１とコマ６との引っ掛かりが外れる。この状態でストッパリング３を離してノズル１を反時計方向に回転させると図４（Ｃ）に示すようにノズル１がコマ６を押し上げながら回転し、図４（Ｄ）に示すように口金２のガイド穴２２位置まで戻る。この状態でノズル１を引き抜き新しいノズル１と入れ替える。
【産業上の利用可能性】
【００１８】
本考案の針無注射器はノズルの噴射孔から吸入した一定量の薬液、または、あらかじめノズル内に充填されている薬液をジェット噴射させて皮下注射を行う針無注射器に用いられる。
【図面の簡単な説明】
【００１９】
【図１】本考案の針無注射器の側面断面図（Ａ）とそのＡ−Ａ側から見た断面図（Ｂ）及びＢ−Ｂ側から見た断面図（Ｃ）である。
【図２】実施例に係わるノズルの一部断面による側面図（Ａ）と挿入端側平面図である。
【図３】ノズル挿入前（Ａ）、ノズル挿入時（Ｂ）、ノズル回転時（Ｃ）およびノズルラッチ時（Ｄ）のストッパリング内部の状態図である。
【図４】ストッパリング回転時（Ａ）、ノズルラッチ解除時（Ｂ）、ノズル回転途中時（Ｃ）およびノズル回転完了時（Ｄ）のストッパリング内部の状態図である。
【図５】従来の針無注射器の一部断面構成図である。
【図６】従来のノズルの側面図（Ａ）と取付け側平面図（Ｂ）である。
【図７】従来の針無注射器の注射器本体の正面図（Ａ）とその側面図（Ｂ）である。
【図８】ノズル挿入時のノズルと注射器本体の位置関係を示す図である。
【図９】従来の針無注射器に用いられる押し具の正面図（Ａ）とその側面図（Ｂ）である。
【符号の説明】
【００２０】
１  ノズル
１１  噴射孔
１２  中空孔
１３  フランジ
１４  ラッチ溝
１５  凸部
２  口金
２１  段付孔
２２ガイド穴
３  ストッパリング
３１  矢じり形部位
４  注射器本体
４１  ブロック
５  軸ピン
６  コマ
６１  フック部
６２  凹部
６３  ラッチ部位
６４  弾性変形部
７  コイルばね
８  ネジ
９  ロッド
１０１  前グリップ
１０２  後グリップ
１０３  ラッチ解除ボタン
１０４  注射器本体
１０５  ノズル
１０６  ネジ部
１０７  ピストン
１０８  ロッド
２０１  注射器本体
２０１ａ  挿入口
２０２  ノズル
２０２ａ  噴射孔
２０２ｂ  中空部
２０２ｃ  挿入端
２０３  溝
２０４  フランジ部
２０５  ネジ部
２０６  ストッパー
２０７  プランジャー
２０８  ネジ部
２０９  押し具
【図１】
0003125242.tif 000003
【図２】
0003125242.tif 000004
【図３】
0003125242.tif 000005
【図４】
0003125242.tif 000006
【図５】
0003125242.tif 000007
【図６】
0003125242.tif 000008
【図７】
0003125242.tif 000009
【図８】
0003125242.tif 000010
【図９】
0003125242.tif 000011